(57)【特許請求の範囲】
【請求項１】
被験者の身体の動きを検出する体動検出手段と、
前記体動検出手段の検出結果に基づいて、所定期間の前記被験者の睡眠状態のレベルを時間軸に沿ったグラフで表示装置に表示させる表示データを生成する演算手段とを備え、
前記演算手段は、
前記体動検出手段の検出結果に基づいて、単位期間ごとの前記被験者の睡眠状態を判別する第１の判別手段と、
前記第１の判別手段で判別された前記単位期間ごとの睡眠状態に基づいて、前記単位期間が所定数連続してなる前記所定期間の睡眠状態のレベルを判別する第２の判別手段と、
前記所定期間の睡眠状態のレベルに応じて、当該所定期間ごとの表示態様を決定する決定手段と、
前記所定期間の睡眠状態のレベルを前記表示態様で表わした表示データを生成する生成手段とを含む、睡眠評価装置。
【請求項２】
前記表示データは、前記時間軸に沿って前記所定期間を表わすセグメントを連続して表示させるデータであって、
前記決定手段は、前記所定期間の睡眠状態のレベルに応じて、当該所定期間を表わすセグメントの表示態様を決定する、請求項１に記載の睡眠評価装置。
【請求項３】
前記決定手段は、前記所定期間を表わすセグメントの色を、前記睡眠状態のレベルに応じた色に決定する、請求項２に記載の睡眠評価装置。
【請求項４】
前記表示データは、前記時間軸に沿って、前記時間軸に交差する睡眠状態のレベルを表わす軸に応じて前記所定期間を表わすセグメントを連続して表示させるデータであって、
前記決定手段は、前記所定期間を表わすセグメントの前記睡眠状態のレベルを表わす軸の方向の表示位置を、前記睡眠状態のレベルに応じた位置に決定する、請求項２または３に記載の睡眠評価装置。
【請求項５】
前記第１の判別手段は、前記単位期間における前記体動の大きさおよび／または前記体動の周期性に基づいて前記単位期間の前記被験者の睡眠状態を判別する、請求項１〜４のいずれかに記載の睡眠評価装置。
【請求項６】
前記第１の判別手段は、
前記単位期間における前記体動の大きさおよび／または前記体動の周期性に基づいて前記単位期間の前記被験者の睡眠状態を判別する判別手段と、
前記単位期間の前記被験者の睡眠状態を、前記単位期間に隣接する単位期間の前記被験者の睡眠状態の判別結果に基づいて補正する補正手段とを含む、請求項１〜５のいずれかに記載の睡眠評価装置。
【請求項７】
前記所定期間は一日のうちの予め規定された時間帯の属する期間であって、
前記生成手段は、複数日についての前記時間帯の前記被験者の睡眠状態のレベルを、同一時間軸で表示させる表示データを生成する、請求項１〜６のいずれかに記載の睡眠評価装置。
【請求項８】
センサからの、被験者の身体の動きを検出したセンサ信号に基づいて、所定期間の前記被験者の睡眠状態のレベルを時間軸に沿ったグラフで表示装置に表示させる、睡眠評価装置における表示方法であって、
前記センサ信号の入力を受付けるステップと、
前記センサ信号に基づいて、単位期間ごとの前記被験者の睡眠状態を判別するステップと、
前記単位期間ごとの睡眠状態の判別結果に基づいて、前記単位期間が連続してなる前記所定期間の睡眠状態のレベルを判別するステップと、
前記所定期間の睡眠状態のレベルに応じて、当該所定期間ごとの表示態様を決定するステップと、
前記所定期間の睡眠状態のレベルを前記表示態様で表わした表示データを生成するステップとを備える、睡眠評価装置における表示方法。
【発明の詳細な説明】
【技術分野】
【０００１】
この発明は睡眠評価装置および睡眠評価装置における表示方法に関し、特に、非侵襲で被測定者の睡眠状態を評価する睡眠評価装置および睡眠評価装置における表示方法に関する。
【背景技術】
【０００２】
健康維持にとって睡眠は重要な要素であり、睡眠パターンを知ることは健康維持の観点から重要である。
【０００３】
代表的な睡眠パターンの測定方法としては睡眠ポリグラフ（ＰＳＧ）検査が挙げられる。睡眠ポリグラフ検査とは、睡眠障害の診断に用いられる検査の一つであって、被測定者の脳波を測定し、その変化に基づいて睡眠の深さを確認するものである。
【０００４】
簡易な方法としては、たとえば特開２００９−１６０００１号公報（以下、特許文献１）や特許第４１０３９２５号公報（以下、特許文献２）に開示されているように、寝具の下に配置されるセンサを用いて被測定者の体動の時間変化を計測し、当該計測結果に基づいて、被測定者の睡眠状態やその質等を判断する方法が挙げられる。
【先行技術文献】
【特許文献】
【０００５】
【特許文献１】特開２００９−１６０００１号公報
【特許文献２】特許第４１０３９２５号公報
【発明の概要】
【発明が解決しようとする課題】
【０００６】
しかしながら、睡眠ポリグラフ検査では電極や多数のセンサを被測定者の頭部に装着する必要があるために被測定者の負担が大きいばかりでなく、検査中に測定者が待機する必要もあることから測定者の負担も大きいという問題があった。
【０００７】
一方で、特許文献１、２に開示されている方法は睡眠ポリグラフ検査よりも被測定者への侵襲性は低いために被測定者の負担は睡眠ポリグラフ検査よりは小さいと言えるが、寝具の下に配置されるセンサを用いるものであるために寝具の制約があり、やはり、被測定者の負担はある程度はあるという問題があった。
【０００８】
さらに、特許文献１、２に開示されている方法では睡眠状態と覚醒状態との判別のみなされて、その結果が出力されるものであるため、専門知識を有しないユーザは睡眠の状態がどのような状態であったかを理解し難いという問題があった。
【０００９】
本発明はこのような問題に鑑みてなされたものであって、被測定者への負担を軽減して当該被測定者の睡眠状態のレベルを把握しやすく提示することのできる睡眠評価装置および睡眠評価装置における表示方法を提供することを目的の一つとしている。
【課題を解決するための手段】
【００１０】
上記目的を達成するために、本発明のある局面に従うと、睡眠評価装置は、被験者の身体の動きを検出する体動検出手段と、体動検出手段の検出結果に基づいて、所定期間の被験者の睡眠状態のレベルを時間軸に沿ったグラフで表示装置に表示させる表示データを生成する演算手段とを備える。演算手段は、体動検出手段の検出結果に基づいて、単位期間ごとの被験者の睡眠状態を判別する第１の判別手段と、第１の判別手段で判別された単位期間ごとの睡眠状態に基づいて、単位期間が所定数連続してなる所定期間の睡眠状態のレベルを判別する第２の判別手段と、所定期間の睡眠状態のレベルに応じて、当該所定期間ごとの表示態様を決定する決定手段と、所定期間の睡眠状態のレベルを表示態様で表わした表示データを生成する生成手段とを含む。
【００１１】
好ましくは、表示データは、時間軸に沿って所定期間を表わすセグメントを連続して表示させるデータであって、決定手段は、所定期間の睡眠状態のレベルに応じて、当該所定期間を表わすセグメントの表示態様を決定する。
【００１２】
より好ましくは、決定手段は、所定期間を表わすセグメントの色を、睡眠状態のレベルに応じた色に決定する。
【００１３】
より好ましくは、表示データは、時間軸に沿って、時間軸に交差する睡眠状態のレベルを表わす軸に応じて所定期間を表わすセグメントを連続して表示させるデータであって、決定手段は、所定期間を表わすセグメントの睡眠状態のレベルを表わす軸の方向の表示位置を、睡眠状態のレベルに応じた位置に決定する。
【００１４】
好ましくは、第１の判別手段は、単位期間における体動の大きさおよび／または体動の周期性に基づいて単位期間の被験者の睡眠状態を判別する。
【００１５】
好ましくは、第１の判別手段は、単位期間における体動の大きさおよび／または体動の周期性に基づいて単位期間の被験者の睡眠状態を判別する判別手段と、単位期間の被験者の睡眠状態を、単位期間に隣接する単位期間の被験者の睡眠状態の判別結果に基づいて補正する補正手段とを含む。
【００１６】
好ましくは、所定期間は一日のうちの予め規定された時間帯の属する期間であって、生成手段は、複数日についての時間帯の被験者の睡眠状態のレベルを、同一時間軸で表示させる表示データを生成する。
【００１７】
本発明の他の局面に従うと、表示方法は、センサからの、被験者の身体の動きを検出したセンサ信号に基づいて、所定期間の被験者の睡眠状態のレベルを時間軸に沿ったグラフで表示装置に表示させる、睡眠評価装置における表示方法であって、センサ信号の入力を受付けるステップと、センサ信号に基づいて、単位期間ごとの被験者の睡眠状態を判別するステップと、単位期間ごとの睡眠状態の判別結果に基づいて、単位期間が連続してなる所定期間の睡眠状態のレベルを判別するステップと、所定期間の睡眠状態のレベルに応じて、当該所定期間ごとの表示態様を決定するステップと、所定期間の睡眠状態のレベルを前記表示態様で表わした表示データを生成するステップとを備える。
【発明の効果】
【００１８】
この発明によると、被測定者への負担を軽減して当該被測定者の睡眠状態のレベルを取得することができる。さらに、その睡眠状態のレベルを把握しやすく提示することができる。
【図面の簡単な説明】
【００１９】
【図１】本実施の形態にかかる睡眠レベル測定装置（以下、測定装置と略する）の外観の具体例を示す図である。
【図２】測定装置の側面を表わした概略図である。
【図３】測定装置の斜め上方から見た外観の概略図である。
【図４】測定装置のハードウェア構成の具体例を示すブロック図である。
【図５】測定装置の使用例を説明する図である。
【図６】測定装置において睡眠のレベルを判定するための機能構成の具体例を示すブロック図である。
【図７】ドップラーセンサである体動センサからのセンサ信号の具体例を示す図である。
【図８】（Ａ）は、図７に表わされた波形から分離された呼吸波形の具体例を示す図であり、（Ｂ）は、図７に表わされた波形から分離された体動波形の具体例を示す図である。
【図９】（Ａ）は、図６の判別部での判別結果の具体例を示す図であり、（Ｂ）は、（Ａ）の判別結果の補正の具体例を示す図である。
【図１０】睡眠のレベルの表示の第１の具体例を示す図である。
【図１１】睡眠のレベルの表示の第２の具体例を示す図である。
【図１２】測定装置における表示のための動作の流れの具体例を示すフローチャートである。
【図１３】睡眠のレベルに対応した、象徴的なセンサ信号の示す波形の具体例を示す図である。
【図１４】睡眠のレベルに対応した、象徴的なセンサ信号の示す波形の具体例を示す図である。
【図１５】睡眠のレベルに対応した、象徴的なセンサ信号の示す波形の具体例を示す図である。
【図１６】睡眠のレベルに対応した、象徴的なセンサ信号の示す波形の具体例を示す図である。
【図１７】睡眠のレベルに対応した、象徴的なセンサ信号の示す波形の具体例を示す図である。
【図１８】睡眠のレベルに対応した、象徴的なセンサ信号の示す波形の具体例を示す図である。
【図１９】睡眠のレベルに対応した、象徴的なセンサ信号の示す波形の具体例を示す図である。
【図２０】本願発明者らが、被測定者に対して測定装置を用いて測定を行なった結果と、当該被測定者の睡眠ポリグラフ（ＰＳＧ）検査の睡眠経過図とを並べて表わした図である。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
＜外観＞
図１は、本実施の形態にかかる睡眠レベル測定装置（以下、測定装置と略する）１００の外観の具体例を示す図である。また、図２は測定装置１００の側面を表わした概略図であり、図３は、斜め上方から見た外観の概略図である。
【００２２】
図１〜図３を参照して、測定装置１００は、一例として、台座に対して直方体またはその角が丸みを帯びて処理された縦長の形状の筐体が立てられた外観を有する。
【００２３】
図１を参照して、台座表面には操作用のボタン（あるいはボタン群）１０が配備され、台座に立てられた筐体の表面には表示部２０とが配備される。また、その筐体内部には、センサ３０と、制御部４０とが内包される。
【００２４】
以降の説明において、筐体の表示部２０が設けられた面を測定装置１００の正面とも称する。
【００２５】
測定装置１００は無線または有線での通信を行なうための通信部５０を有する。通信部５０は、一例として、筐体の、台座と逆側の端部よりに設けられる。そして、通信部５０を用いて、パーソナルコンピュータ（以下、ＰＣ）や携帯電話機などの表示装置２００に接続されて、表示装置２００に対して表示データを出力する。
【００２６】
＜ハードウェア構成＞
図４は、測定装置１００のハードウェア構成の具体例を示すブロック図である。
【００２７】
図４を参照して、ボタン１０、センサ３０、表示部２０、および通信部５０は、いずれも、制御部４０に接続される。
【００２８】
ボタン１０はユーザに操作されることによる操作信号を制御部４０に対して出力する。
センサ３０は体動センサ３１を含み、センサ信号を制御部４０に対して出力する。体動センサ３１としては、好適にはドップラーセンサが用いられる。以降の説明では、体動センサ３１がドップラーセンサであるものとする。他には、超音波センサや赤外線センサが用いられてもよい。
【００２９】
ドップラーセンサである体動センサ３１は、図示しない、測定用の電波を出力するための出力部と、受信部とを有する。受信部は、出力部から出力した電波のうち被測定体表面から反射した電波を受信し、出力した電波からの周波数の変化に応じたセンサ信号を出力する。
【００３０】
なお、体動を検出する機構として体動センサ３１に替えてカメラを備えて、制御部４０において画像解析を行なうことで体動を検出してもよい。
【００３１】
制御部４０は、全体制御を行なうためのＣＰＵ４１と、ＣＰＵ４１で実行されるプログラムなどを記憶するためのメモリ４２とを含む。制御部４０は、ＣＰＵ４１がメモリ４２に記憶されている表示用のプログラムを実行し、入力された操作信号およびセンサ信号を用いて演算を実行することで、後述する睡眠のレベルを算出し、睡眠のレベルを表示するための表示データを生成する。
【００３２】
制御部４０は、表示データに基づく画面表示を表示部２０に行なうための表示制御を実行する。さらに、表示データを表示装置２００に対して通信部５０から送信するための通信制御を実行する。
【００３３】
通信部５０は、たとえば赤外線通信やＢｌｕｅｔｏｏｔｈ（登録商標）を利用した通信などの無線通信で、直接、表示装置２００と通信するものであってもよいし、インターネット接続機能を有して、インターネットを介して表示装置２００と通信するものであってもよい。
【００３４】
さらに、通信部５０は無線ＬＡＮ（Local Area Network）のサーバ機能を有して、無線ＬＡＮ接続でアクセスした表示装置２００に対して、たとえばＨＴＭＬ（Hyper Text Markup Language）などのマークアップ言語で表現された後述の表示データを送信するようにしてもよい。
【００３５】
＜使用例＞
図５は、測定装置１００の使用例を説明する図である。
【００３６】
図５を参照して、測定装置１００は、一例として就寝中の被測定者の近傍（たとえば枕元）に設置される。その状態で測定動作が行なわれることで、ドップラーセンサである体動センサ３１から電波が出力される。
【００３７】
体動センサ３１から出力された電波は就寝中の被測定者の主に胸元、肩、などの辺りに到達し、そこからの反射波の周波数の変化がセンサ信号として制御部４０に出力される。制御部４０は、この周波数の変化に基づいて、就寝中の被測定者の胸の動きや寝返りなどの体動を検出し、その検出結果に基づいて睡眠のレベルを判定する。
【００３８】
＜機能構成＞
図６は、測定装置１００において睡眠のレベルを判定するための機能構成の具体例を示すブロック図である。図６に表わされる各機能は、主に、ＣＰＵ４１がメモリ４２に記憶されるプログラムを実行することによってＣＰＵ４１上に形成されるものであるが、少なくとも一部が電気回路などのハードウェア構成によって形成されてもよい。
【００３９】
図６を参照して、測定装置１００は、センサ３０からのセンサ信号の入力を受付けるための入力部４０１と、そのセンサ信号に基づいて単位期間の睡眠状態を判別するための第１判別部４０２と、単位期間ごとの判別結果に基づいて、当該単位期間が所定数連続してなる一定期間の睡眠状態のレベルを判別するための第２判別部４０９と、睡眠状態のレベルに基づいて当該一定期間の表示態様を決定するための決定部４０３と、決定された表示態様に基づいて睡眠のレベルを表示する表示データを生成するための生成部４０４と、表示データをメモリ４２に格納する処理を実行するための格納部４０５と、メモリ４２から表示データを読み出すための読出部４０６と、読み出された表示データを表示部２０に表示させる処理を実行するための表示制御部４０７と、通信部５０で表示装置２００に対して送信する処理を実行するための通信制御部４０８とを含む。
【００４０】
図６の例では、入力部４０１が、センサ３０からのセンサ信号を直接受け取るものとしているが、センサ信号はメモリ４２の所定領域に一時的に記憶され、入力部４０１は表示のための動作を行なう際にそこから読み出すようにしてもよい。
【００４１】
＜睡眠のレベルの判別方法＞
ここで、第２判別部４０９での睡眠のレベルの判別方法について説明する。
【００４２】
図７は、ドップラーセンサである体動センサ３１からのセンサ信号の具体例を示す図である。図７は、体動センサからの搬送波と被測定者の表面からの反射波との位相の変位量に関係する電圧値の時間変化を表わしている。
【００４３】
図７を参照して、センサ信号で表わされる波形は、被測定者の呼吸に伴う体動（胸の動き）を表わす波形（以下、呼吸波形とも称する）と、寝返りなどの呼吸以外の体動を表わす波形（以下、体動波形とも称する）とを含む合成波である。
【００４４】
図８（Ａ）および図８（Ｂ）は、図７に表わされた波形から分離された呼吸波形および体動波形の具体例を示す図である。
【００４５】
安定した睡眠状態であるときのヒトの呼吸波形は周期性を有する。従って、呼吸波形の周期性が所定範囲内である場合、すなわち、その周期のばらつきが所定範囲内であるときには、概ね、安定した睡眠状態であると言える。
【００４６】
また、安定した睡眠状態であるとき、寝返りなどの呼吸以外の体動は生じ難い。従って、体動波形の振幅が所定範囲内であるときには概ね安定した睡眠状態であると言え、所定範囲以上となった場合には体動が生じているために安定した睡眠状態ではないと言える。
【００４７】
従って、ある期間については、その期間における呼吸波形の周期性や呼吸以外の体動の大きさに基づいて被測定者が安定した睡眠状態にあるか否かを判別することができる。なお、この例では、呼吸波形と体動波形との両波形を用いて判別するものとしているが、少なくとも一方の波形のみを用いてもよい。
【００４８】
図６に示されるように、第１判別部４０２は、判別部４０２１と補正部４０２２とを含む。
【００４９】
判別部４０２１は、図７に示された入力されたセンサ信号に基づく波形を、図８（Ａ）および図８（Ｂ）に示される呼吸波形と体動波形とに分離する。そして、それぞれの波形に基づいて、予め規定された単位期間（図７の期間ｔ１，ｔ２，ｔ３，ｔ４，ｔ５）ごとに、被測定者が安定した睡眠状態にあるか否かを判別する。ここでの単位期間は、たとえば３０秒や１分程度が挙げられる。すなわち、呼吸波形の単位期間ｔ１における周期のばらつきが予め設定されているしきい値よりも小さい場合には、単位期間ｔ１における呼吸波形に周期性が見られると判断する。また、体動波形の単位期間ｔ１における振幅が予め設定されているしきい値よりも大きいか小さいかを判断する。
【００５０】
そして、判別部４０２１は、単位期間ｔ１における呼吸波形に周期性があり、かつ体動波形の振幅がしきい値よりも小さい場合に、単位期間ｔ１の当該被測定者の睡眠状態を睡眠状態（Ｓ）であると判別する。一方、判別部４０２１は、単位期間ｔ１における呼吸波形に周期性がなく、かつ体動波形の振幅がしきい値よりも大きい場合に、単位期間ｔ１の当該被測定者の睡眠状態を覚醒状態（Ｗ）であると判別する。なお、いずれか一方の条件のみが満たされている場合、つまり、単位期間ｔ１における呼吸波形に周期性があるか、または、体動波形の振幅がしきい値よりも小さい場合に、覚醒状態と判別するようにしてもよい。
【００５１】
図９（Ａ）は、判別部４０２１での判別結果の具体例を示す図である。図９（Ａ）に示されるように、判別部４０２１は、入力されたセンサ信号に基づく波形の単位期間ごとに、安定した睡眠状態であるか覚醒状態であるかを判別する。
【００５２】
しかしながら、睡眠状態において体動が生じたり、覚醒状態において体動がなく呼吸が安定していたりする単位期間が生じる場合もある。また、被測定者以外の移動物からの反射波を受信して、その結果、体動波形にノイズが生じる場合もある。そこで、好ましくは、補正部４０２２は、隣接する単位期間の判別結果に応じて、当該単位期間の判別結果を補正する。
【００５３】
一例として、図９（Ｂ）に、図９（Ａ）に示された判別結果の補正の具体例を示す。図９（Ａ）および図９（Ｂ）を参照して、補正部４０２２は、同一の判別結果である単位期間の連続数が所定数以下であり、かつ、当該判別結果と反対の判別結果である単位期間がこの連続した単位期間の前後に所定数以上連続している場合、その連続した単位期間の判別結果を、反対の判別結果となるように補正する。
【００５４】
具体的には、判別部４０２１は図９（Ａ）の単位期間ｔ７について覚醒状態（Ｗ）と判別しているが、覚醒状態（Ｗ）と判別された単位期間は単位期間ｔ７に対して連続しておらず（すなわち、連続数が１であり）、かつ、単位期間ｔ７の前後において睡眠状態（Ｓ）と判別された単位期間がある程度連続している。判別結果が逆の同様の状態は単位期間ｔ１３についても見られる。
【００５５】
仮に、対象とする単位期間の判別結果の連続数のしきい値（第１のしきい値）を２、その前後の単位期間の判別結果の連続数のしきい値（第２のしきい値）を２とすると、単位期間ｔ７については、覚醒状態（Ｗ）と判別された単位期間の連続数１が上記第１のしきい値よりも小さく、かつ、単位期間ｔ７の前後の判別結果の逆の単位期間の連続数３が上記第２のしきい値よりも大きい、という条件を満たしている。従って、補正部４０２２は、単位期間ｔ７の判別結果を、反対の判別結果である睡眠状態（Ｓ）となるように補正する。
【００５６】
同様にして、補正部４０２２は、単位期間ｔ１３の判別結果も、反対の判別結果である覚醒状態（Ｗ）となるように補正する。
【００５７】
次に、第２判別部４０９は、上記単位期間が連続してなる一定期間について、各単位期間の判別結果に基づいて、睡眠のレベルを判別する。ここでの一定期間は、たとえば５分や１０分程度が挙げられる。
【００５８】
ここで、睡眠のレベルとは、呼吸の安定具合と、体動の有無、連続性とから定義される睡眠の状態のレベルを指す。具体例として、
レベル１：体動がなく、呼吸が安定している睡眠状態、
レベル２：単発的な体動がある睡眠状態、
レベル３：連続的な体動がある睡眠状態、
レベル４：連続的な体動が続く覚醒状態、
レベル５：完全な覚醒状態、
などが挙げられる。
【００５９】
第２判別部４０９は、各レベルの判定値として、一定期間を構成する各単位期間の判別結果の連続数や、比率を記憶しておく。一例として、図１３は上記レベル１の象徴的なセンサ信号の示す波形の具体例、図１４は上記レベル２の象徴的なセンサ信号の示す波形の具体例、図１５および図１６は上記レベル３の象徴的なセンサ信号の示す波形の具体例、図１７は上記レベル４の象徴的なセンサ信号の示す波形の具体例、図１８は上記レベル５の象徴的なセンサ信号の示す波形であって特に入床時のセンサ信号の示す波形、および図１９は上記レベル５の象徴的なセンサ信号の示す波形であって特に離床時のセンサ信号の示す波形を表わす図である。第２判別部４０９は、これらセンサ信号の示す波形に表わされた判別結果の連続数や、比率を、各レベルの判定値として予め記憶しておく。そして、図９（Ｃ）は、各一定期間ごとの睡眠のレベルの判定結果の具体例を表わす図である。すなわち、図９（Ｂ）および図９（Ｃ）を参照して、第２判別部４０９は、上記一定期間を構成する単位期間の連続について、判定結果の連続数と記憶している判定値とを比較すること、および、判定結果の比率と判定値とを比較すること、によって、当該一定期間の睡眠のレベルを判別する。
【００６０】
＜表示例＞
測定装置１００では、ある時間帯について、その時間帯に属する上記一定期間ごとに、当該一定期間を表わすセグメントを睡眠のレベルに応じた表示態様とし、当該セグメントを時間経過に沿って並べて表示する。
【００６１】
図１０は、睡眠のレベルの表示の第１の具体例を示す図である。
図１０を参照して、第１の例として、上記一定期間を表わすセグメントを時間経過に沿って並べ、それぞれのセグメントを当該一定期間の睡眠のレベルに応じた色で表示する例を示している。なお、図１０においては、表示の都合上、睡眠のレベルに応じた表示色がハッチングの違いによって表現されている。これは、後述する第２の表示例でも同様である。
【００６２】
第１の例による表示を行なうために、決定部４０３は睡眠のレベルに応じた表示色を予め記憶しておき、上記一定期間ごとに、判別された睡眠のレベルに応じた表示色を決定する。そして、生成部４０４は、その一定期間に対応したセグメントを決定された表示色とする表示データを生成する。
【００６３】
この表示データに基づく表示処理が表示制御部４０７においてなされることで、または、通信制御部４０８の制御によって通信部５０から送信された表示装置２００においてなされることで、その表示部において、図１０のような表示が実現される。
【００６４】
図１０においては、たとえば一日の時間帯に属する一定期間ごとに、当該一定期間における被測定者の睡眠のレベルが対応した色で表示される。そのため、ユーザは、当該被測定者の一定期間ごとの睡眠のレベルの、ある時間帯における推移を、一目で把握することができる。
【００６５】
さらに、好ましくは、生成部４０４は、図１０に示されるような表示画面を表示させるために、複数の連続した日における上記一定期間を表わすセグメントをその時間軸を同じとして日ごとに並べて表わした表示データを生成する。これにより、ユーザは、当該被測定者の一定期間ごとの睡眠のレベルの、ある時間帯における推移を、連続した日ごとに容易に比較することができる。これは、後述する第２の表示例でも同様である。
【００６６】
なお、図１０の例では、たとえば一週間などの連続した日の測定結果を並べて表示する例を表わしているが、連続した日に限定されず、たとえば毎週月曜など、特定の日の測定結果を並べて表示するようにしてもよい。これもまた、後述する第２の表示例でも同様である。
【００６７】
図１１は、睡眠のレベルの表示の第２の具体例を示す図である。
図１１を参照して、第２の例として、上記一定期間を表わすセグメントを時間経過に沿って並べ、さらに、時間軸に直交する方向に睡眠のレベルを表わす軸を設定し、それぞれのセグメントを、少なくとも当該軸の睡眠のレベルに応じた位置に表示する例を示している。より好ましくは、図１１に示されるように、さらに、各セグメントを、当該一定期間の睡眠のレベルに応じた色でも表示する。
【００６８】
第２の例による表示を行なうために、睡眠のレベルを表わす軸上の当該セグメントの表示位置を決定する。そして、生成部４０４は、その一定期間に対応したセグメントを決定された表示位置とする表示データを生成する。表示色も併せて決定する場合には、第１の例と同様にして決定する。
【００６９】
この表示データに基づく表示処理が表示制御部４０７においてなされることで、または、通信制御部４０８の制御によって通信部５０から送信された表示装置２００においてなされることで、その表示部において、図１１のような表示が実現される。
【００７０】
図１１においては、たとえば一日の時間帯に属する一定期間ごとに、当該一定期間を表わすセグメントが、時間軸に直交する睡眠のレベルを示す軸に対して、被測定者の睡眠のレベルに応じた位置で表示される。そのため、ユーザは、当該被測定者の一定期間ごとの睡眠のレベルの、ある時間帯における推移を、一目で、かつ直感的に把握することができる。
【００７１】
なお、図１０、図１１の例では、一定期間ごとにセグメントで表現し、当該セグメントを時間経過に沿って並べた表示を行なうものとしている。しかしながら、セグメントを用いた表示には限定されず、予め規定された時間帯全体を棒グラフとして、対応した時間を睡眠のレベルに応じた表示色とした表示、などの他の表示であってもよい。
【００７２】
＜動作フロー＞
図１２は、測定装置１００における表示のための動作の流れの具体例を示すフローチャートである。図１２のフローチャートに示される動作は、たとえば、ボタン１０に含まれる図示しない表示ボタンの押下を受付けることで開始されてもよいし、所定のタイミング（たとえば予め規定した時刻、など）に自動的に開始されるものでもよい。この動作は、ＣＰＵ４１がメモリ４２に記憶される表示用のプログラムを読み出して実行し、図６に示された各機能を発揮することによって実現される。
【００７３】
図１２を参照して、表示のための動作が開始されると、ステップＳ１０１でＣＰＵ４１は、メモリ４２の所定記憶領域に記憶されたセンサ信号を読み出し、ステップＳ１０３でセンサ信号の表わす波形を呼吸波形と体動波形とに分離する。たとえばステップＳ１０１で読み出したセンサ信号の示す波形が図７の波形である場合、ステップＳ１０３では、たとえば図８（Ａ）に示された呼吸波形と図８（Ｂ）に示された体動波形とに分離する。
【００７４】
ステップＳ１０５でＣＰＵ４１は、得られた呼吸波形と体動波形とのそれぞれについて、予め設定された単位期間ごとの呼吸波形の周期性および／または体動波形における振幅の大きさに基づいて、単位期間ごとに、その期間における睡眠状態を判別する。さらに、ステップＳ１０７でＣＰＵ４１は、ステップＳ１０５での判別結果を、隣接する単位期間の判別結果に応じて補正する。さらに、ステップＳ１０９でＣＰＵ４１は、上記単位期間が連続してなる一定期間について、各単位期間の判別結果に基づいて、睡眠のレベルを判別する。
【００７５】
そして、ステップＳ１１１でＣＰＵ４１は、ステップＳ１０９での判別結果に基づいて、当該一定期間についての表示態様を決定する。たとえば、図１０に示された第１の例の表示を行なう場合、ステップＳ１１１でＣＰＵ４１は、睡眠のレベルの判別結果に基づいて、当該一定期間の表示色を決定する。または、図１１に示された第２の例の表示を行なう場合、ステップＳ１１１でＣＰＵ４１は、睡眠のレベルの判別結果に基づいて、当該一定期間の表示色を決定すると共に、その一定期間を表わすセグメントの表示位置（睡眠のレベルを表わす軸上の高さ）を決定する。
【００７６】
ステップＳ１１３でＣＰＵ４１は、予め表示対象として規定されている時間帯について、属する上記一定期間を表わすセグメントを時間軸に沿って配置した表示データを生成し、ステップＳ１１５でその表示データを出力する。測定装置１００に備えられる表示部２０で表示する場合には、当該表示データを表示部２０に対して出力する。表示装置２００に表示する場合には、当該表示データを通信部５０から表示装置２００に対して出力する。
【００７７】
＜実施例の効果＞
以上の動作が測定装置１００において行なわれることで、非侵襲で被測定者の睡眠のレベルを測定することができる。さらに、たとえば図１０や図１１に示されたように測定結果が表示される。すなわち、睡眠のレベルが色や表示位置などの表示態様によって提示される。
【００７８】
これにより、被測定者への負担を軽減して、一目で被測定者の睡眠のレベルを把握することができる。図２０は、本願発明者らが、実際の被測定者に対して測定装置１００を用いて測定を行なった結果と、当該被測定者の睡眠ポリグラフ（ＰＳＧ）検査の睡眠経過図とを並べて表わした図である。図２０に示されるように、測定装置１００を用いた場合、睡眠ポリグラフ（ＰＳＧ）検査の検査結果で表わされた睡眠深度と相関性のある睡眠のレベルが得られることがわかる。そのため、測定装置１００を用いることで、非侵襲で被測定者への負担を軽減して、概ね睡眠深度と同様にとらえることのできる睡眠のレベルを得ることができる。
【００７９】
さらに、図１０や図１１に示されたように、複数の測定期間について、時間軸をそろえて測定結果を表示することで、当該複数の測定期間について当該被測定者の睡眠のレベルを比較することができ、当該被測定者の睡眠のパターンを容易に確認することができる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１０  ボタン、２０  表示部、３０  センサ、３１  体動センサ、４０  制御部、４１  ＣＰＵ、４２  メモリ、５０  通信部、１００  測定装置、２００  表示装置、４０１  入力部、４０２  第１判別部、４０３  決定部、４０４  生成部、４０５  格納部、４０６  読出部、４０７  表示制御部、４０８  通信制御部、４０９  第２判別部、４０２１  判別部、４０２２  補正部。
【図１】
0005720295.tif 000002
【図２】
0005720295.tif 000003
【図３】
0005720295.tif 000004
【図４】
0005720295.tif 000005
【図５】
0005720295.tif 000006
【図６】
0005720295.tif 000007
【図７】
0005720295.tif 000008
【図８】
0005720295.tif 000009
【図９】
0005720295.tif 000010
【図１０】
0005720295.tif 000011
【図１１】
0005720295.tif 000012
【図１２】
0005720295.tif 000013
【図１３】
0005720295.tif 000014
【図１４】
0005720295.tif 000015
【図１５】
0005720295.tif 000016
【図１６】
0005720295.tif 000017
【図１７】
0005720295.tif 000018
【図１８】
0005720295.tif 000019
【図１９】
0005720295.tif 000020
【図２０】
0005720295.tif 000021